(57)【要約】【課題】ログイン認証を要するウェブサイト名を、ログイン状態が継続している間、常時表示することにより、当該ウェブサイトの存在を容易に把握することができると共に、容易にアクセスする。【解決手段】ログイン認証を要するウェブサイト、及びログイン認証を要しないウェブサイトに対してそれぞれアクセスする手段と、ログイン認証を要しないウェブサイトを、当該ウェブサイトが属するカテゴリ毎に分類する手段と、ログイン認証を経てアクセスされたログイン認証を要するウェブサイト名と、カテゴリ毎に分類されたカテゴリ名と、を表示する手段と、ログイン認証を要するウェブサイト名を、ウェブサイトに対するログイン状態が継続している間、常時表示する手段と、常時表示されているウェブサイト名を選択すると、ログイン状態が継続しているウェブサイトから取得された情報を一覧表示する手段と、を含む。【選択図】図６
2015210773.tif 000002
【特許請求の範囲】
【請求項１】
ログイン認証を要するウェブサイト、及び前記ログイン認証を要しないウェブサイトに対してそれぞれアクセスする手段と、
前記ログイン認証を要しないウェブサイトを、当該ウェブサイトが属するカテゴリ毎に分類する手段と、
前記ログイン認証を経てアクセスされた前記ログイン認証を要するウェブサイト名と、前記カテゴリ毎に分類されたカテゴリ名と、を表示する手段と、
前記ログイン認証を要するウェブサイト名を、前記ウェブサイトに対するログイン状態が継続している間、常時表示する手段と、
当該常時表示されているウェブサイト名を選択すると、前記ログイン状態が継続しているウェブサイトから取得された情報を一覧表示する手段と、を含むことを特徴とする情報処理装置。
【請求項２】
ユーザ情報の登録を要するウェブサイトに対してアクセスする手段をさらに含み、前記ウェブサイトに対して前記ユーザ情報の登録が行われると、前記ユーザ情報の登録が継続している間、前記ウェブサイト名を常時表示する手段と、当該常時表示されているウェブサイト名を選択すると、前記ユーザ情報の登録が継続しているウェブサイトから取得された情報を一覧表示する手段と、をさらに含むことを特徴とする請求項１に記載の情報処理装置。
【請求項３】
前記一覧表示する手段は、前記ウェブサイトから取得された情報の各々が報じられた時間毎に分類された時間順に、前記情報をユーザの興味レベルの降順に一覧表示すること、又は前記ウェブサイトから取得された情報の各々が属するカテゴリ毎に分類されたカテゴリ順に、前記情報を前記ユーザの興味レベルの降順に一覧表示することを特徴とする請求項１又は２に記載の情報処理装置。
【請求項４】
前記ログイン認証を経てアクセスされたウェブサイト名が、ソーシャル・ネットワーキング・サービスのウェブサイト名であるとき、前記ウェブサイト名は、前記ソーシャル・ネットワーキング・サービス特有の視認性を用いて常時表示されることを特徴とする請求項１又は３に記載の情報処理装置。
【請求項５】
前記ユーザ情報の登録を要するウェブサイトは、ユーザが登録した所定のキーワードに基づいてキーワード検索を行うウェブサイト、イベントの開催により所定の期間開設されるウェブサイト、ユーザが登録した所定のエリアに基づいて広告検索を行うウェブサイトのうち、少なくとも何れか１つのウェブサイトを含むことを特徴とする請求項２又は３に記載の情報処理装置。
【請求項６】
前記ログイン認証を経てアクセスされたウェブサイト名、前記カテゴリ毎に分類されたカテゴリ名、及び前記ユーザ情報の登録が行われたウェブサイト名を表示する表示手段をさらに含み、前記ログイン認証を経てアクセスされたウェブサイト名は少なくとも前記表示手段の最上段の位置に表示されることを特徴とする請求項２から５の何れか１項に記載の情報処理装置。
【請求項７】
前記カテゴリ毎に分類されたカテゴリ名は、ユーザの興味レベルに応じて、前記最上段の位置を除いた位置から降順に、前記表示手段に表示されることを特徴とする請求項６に記載の情報処理装置。
【請求項８】
情報処理装置の制御方法であって、
ログイン認証を要するウェブサイト、及び前記ログイン認証を要しないウェブサイトに対してそれぞれアクセスする工程と、
前記ログイン認証を要しないウェブサイトを、当該ウェブサイトが属するカテゴリ毎に分類する工程と、
前記ログイン認証を経てアクセスされた前記ログイン認証を要するウェブサイト名と、前記カテゴリ毎に分類されたカテゴリ名と、を表示する工程と、
前記ログイン認証を要するウェブサイト名を、前記ウェブサイトに対するログイン状態が継続している間、常時表示する工程と、
前記常時表示する工程により常時表示されているウェブサイト名を選択すると、前記ログイン状態が継続しているウェブサイトから取得された情報を一覧表示する工程と、
を含むことを特徴とする制御方法。
【請求項９】
情報処理装置のコンピュータに、
ログイン認証を要するウェブサイト、及び前記ログイン認証を要しないウェブサイトに対してそれぞれアクセスする処理と、
前記ログイン認証を要しないウェブサイトを、当該ウェブサイトが属するカテゴリ毎に分類する処理と、
前記ログイン認証を経てアクセスされた前記ログイン認証を要するウェブサイト名と、前記カテゴリ毎に分類されたカテゴリ名と、を表示する処理と、
前記ログイン認証を要するウェブサイト名を、前記ウェブサイトに対するログイン状態が継続している間、常時表示する処理と、
前記常時表示する処理により常時表示されているウェブサイト名を選択すると、前記ログイン状態が継続しているウェブサイトから取得された情報を一覧表示する処理と、
を実現させるためのプログラム。
【発明の詳細な説明】
【技術分野】
【０００１】
本発明は、情報処理装置、情報処理装置の制御方法、及びプログラムに関する。
【背景技術】
【０００２】
ＴＣＰ（Transmission Control Protocol）／ＩＰ(Internet Protocol)による通信プロトコルを用いたネットワークシステムであるインターネットの急速な拡大により、一般のユーザも、パーソナルコンピュータ（以下、ＰＣともいう。）等の情報処理装置を利用することにより、インターネット上に存在する様々な情報を取得し、閲覧することができるようになった。
【０００３】
このようなインターネット情報の閲覧は、インターネットエクスプローラー（登録商標）に代表されるインターネットブラウザと呼ばれるインターネット閲覧用アプリケーションソフトウェアを用いて、特定のインターネットアドレス（ＵＲＬ：Uniform Resource Locator）を有するサーバに蓄積されたソースファイル（ＨＴＭＬ：Hyper Text Markup Language）や、それと関連付けられた画像ファイル、動画ファイル、音声ファイル等をＰＣ等にダウンロードすることにより、可視的・可聴的なコンテンツ情報に変換する処理を通じて行われる。
【０００４】
そして、このようなインターネットブラウザを用いたコンテンツ情報の閲覧を手助けするアプリケーションとして、ニュースサイトやポータルサイトが発信している情報を自動的に収集して表示するいわゆるニュースリーダーアプリが存在する。このニュースリーダーアプリの中には、社会的に注目されている情報と、ユーザの興味を学習するといった２つのフィルタリングエンジンにより、世の中で話題になっているニュースであるというだけでなく、ユーザ自身の興味も踏まえた上で記事を取捨選択し、自動的に配信してくれるものもある。
【０００５】
このようなニュースリーダーアプリの中には、ピックアップされた情報が配信順に表示される時間順表示と、情報のカテゴリ順に表示されるカテゴリ順表示とを切り替えて表示するものもあり、表示画面の所定の位置にカテゴリ名を示すインデックスが表示されるものもある。そして、カテゴリ内のサイトによっては、アクセスするにはログイン認証を要するサイト、又はユーザ情報の登録を要するサイトが存在する。そして、ログイン認証を要するサイトの代表的なものとして、ｆａｃｅｂｏｏｋ（登録商標）を一例とするソーシャル・ネットワーキング・サービス（以下、ＳＮＳともいう。）が存在する。
【先行技術文献】
【特許文献】
【０００６】
【特許文献１】特開２００８−１９１９７９号公報
【特許文献２】特開２０１３−０２９８９５号公報
【発明の概要】
【発明が解決しようとする課題】
【０００７】
上記したニュースリーダーアプリのカテゴリ名を示すインデックスは、主としてユーザの興味度が高いものが表示画面の目立つ位置に表示されることになるため、ユーザの興味度が低いといった一部のカテゴリ名を示すインデックスは、表示画面をスクロール操作しない限り表示画面の目立つ位置又は表示画面上に表示されない傾向にある。そうすると、スクロール操作等をしない限り表示画面の目立つ位置又は表示画面上に表示されないカテゴリ名の中には、アクセスするにはユーザ認証を要するサイト、又はユーザ情報の登録を要するサイトが存在する可能性もあり、そのようなサイトに対し、ユーザ認証が行われているか、又はユーザ情報の登録が行われているかについて、その都度画面をスクロールしないと分からないという問題がある。
【０００８】
特許文献１には、ＳＮＳサイトにアクセスした際に認証されたユーザ向けの専用ページが表示されると共に、ユーザ個人プロファイル情報が表示されること、及び推薦されたコンテンツ情報が表示されると共に、コンテンツ情報に対して付与された関連者からの評判情報が表示されるユーザ端末装置が開示されている。また、特許文献２には、ＳＮＳサービスの提供を受ける端末のディスプレイのユーザ情報表示部に、端末のユーザのユーザアイコン、ハンドルネームが表示され、スレッド表示部に所定数のスレッドが表示される情報処理装置が開示されている。
【０００９】
特許文献１及び特許文献２に記載された技術では、ＳＮＳサイトに対してユーザ自身がアクセスしていること、及びユーザ自身がＳＮＳサービスの提供を受けていることを認識することはできる。しかしながら、アクセス中であるＳＮＳサイト以外に、ユーザ認証によるログイン状態が継続しているウェブサイトが他に存在するか否かについては認識することができないという問題がある。
【００１０】
そこで本発明は、上記従来の問題点に鑑みてなされたもので、ログイン認証を要するウェブサイト名を、ログイン状態が継続している間、常時表示することにより、ユーザが当該ウェブサイトの存在を容易に把握することができると共に、それに対して容易にアクセスすることが可能な情報処理装置、情報処理装置の制御方法、及びプログラムを提供することを目的とする。
【課題を解決するための手段】
【００１１】
上記課題を解決するため、請求項１に記載の本発明における情報処理装置は、ログイン認証を要するウェブサイト、及び前記ログイン認証を要しないウェブサイトに対してそれぞれアクセスする手段と、前記ログイン認証を要しないウェブサイトを、当該ウェブサイトが属するカテゴリ毎に分類する手段と、前記ログイン認証を経てアクセスされた前記ログイン認証を要するウェブサイト名と、前記カテゴリ毎に分類されたカテゴリ名と、を表示する手段と、前記ログイン認証を要するウェブサイト名を、前記ウェブサイトに対するログイン状態が継続している間、常時表示する手段と、当該常時表示されているウェブサイト名を選択すると、前記ログイン状態が継続しているウェブサイトから取得された情報を一覧表示する手段と、を含むことを特徴とする。
【００１２】
また、本発明における情報処理装置は、請求項１に記載の情報処理装置において、ユーザ情報の登録を要するウェブサイトに対してアクセスする手段をさらに含み、前記ウェブサイトに対して前記ユーザ情報の登録が行われると、前記ユーザ情報の登録が継続している間、前記ウェブサイト名を常時表示する手段と、当該常時表示されているウェブサイト名を選択すると、前記ユーザ情報の登録が継続しているウェブサイトから取得された情報を一覧表示する手段と、をさらに含むことを特徴とする。
【００１３】
さらに、本発明における情報処理装置は、請求項１又は２に記載の情報処理装置において、前記一覧表示する手段は、前記ウェブサイトから取得された情報の各々が報じられた時間毎に分類された時間順に、前記情報をユーザの興味レベルの降順に一覧表示すること、又は前記ウェブサイトから取得された情報の各々が属するカテゴリ毎に分類されたカテゴリ順に、前記情報を前記ユーザの興味レベルの降順に一覧表示することを特徴とする。
【００１４】
また、本発明における情報処理装置は、請求項１又は３に記載の情報処理装置において、前記ログイン認証を経てアクセスされたウェブサイト名が、ソーシャル・ネットワーキング・サービスのウェブサイト名であるとき、前記ウェブサイト名は、前記ソーシャル・ネットワーキング・サービス特有の視認性を用いて常時表示されることを特徴とする。
【００１５】
そして、本発明における情報処理装置は、請求項２又は３に記載の情報処理装置において、前記ユーザ情報の登録を要するウェブサイトは、ユーザが登録した所定のキーワードに基づいてキーワード検索を行うウェブサイト、イベントの開催により所定の期間開設されるウェブサイト、ユーザが登録した所定のエリアに基づいて広告検索を行うウェブサイトのうち、少なくとも何れか１つのウェブサイトを含むことを特徴とする。
【００１６】
また、本発明における情報処理装置は、請求項２から５の何れか１項に記載の情報処理装置において、前記ログイン認証を経てアクセスされたウェブサイト名、前記カテゴリ毎に分類されたカテゴリ名、及び前記ユーザ情報の登録が行われたウェブサイト名を表示する表示手段をさらに含み、前記ログイン認証を経てアクセスされたウェブサイト名は少なくとも前記表示手段の最上段の位置に表示されることを特徴とする。
【００１７】
さらに、本発明における情報処理装置は、請求項６に記載の情報処理において、前記カテゴリ毎に分類されたカテゴリ名は、ユーザの興味レベルに応じて、前記最上段の位置を除いた位置から降順に、前記表示手段に表示されることを特徴とする。
【００１８】
また、上記課題を解決するため、請求項８に記載の情報処理装置の制御方法は、情報処理装置の制御方法であって、ログイン認証を要するウェブサイト、及び前記ログイン認証を要しないウェブサイトに対してそれぞれアクセスする工程と、前記ログイン認証を要しないウェブサイトを、当該ウェブサイトが属するカテゴリ毎に分類する工程と、前記ログイン認証を経てアクセスされた前記ログイン認証を要するウェブサイト名と、前記カテゴリ毎に分類されたカテゴリ名と、を表示する工程と、前記ログイン認証を要するウェブサイト名を、前記ウェブサイトに対するログイン状態が継続している間、常時表示する工程と、前記常時表示する工程により常時表示されているウェブサイト名を選択すると、前記ログイン状態が継続しているウェブサイトから取得された情報を一覧表示する工程と、を含むことを特徴とする。
【００１９】
そして、上記課題を解決するため、請求項９に記載の本発明におけるプログラムは、情報処理装置のコンピュータに、ログイン認証を要するウェブサイト、及び前記ログイン認証を要しないウェブサイトに対してそれぞれアクセスする処理と、前記ログイン認証を要しないウェブサイトを、当該ウェブサイトが属するカテゴリ毎に分類する処理と、前記ログイン認証を経てアクセスされた前記ログイン認証を要するウェブサイト名と、前記カテゴリ毎に分類されたカテゴリ名と、を表示する処理と、前記ログイン認証を要するウェブサイト名を、前記ウェブサイトに対するログイン状態が継続している間、常時表示する処理と、前記常時表示する処理により常時表示されているウェブサイト名を選択すると、前記ログイン状態が継続しているウェブサイトから取得された情報を一覧表示する処理と、を実現させることを特徴とする。
【発明の効果】
【００２０】
本発明によれば、ログイン認証を要するウェブサイト名を、ログイン状態が継続している間、常時表示することにより、ユーザが当該ウェブサイトの存在を容易に把握することができると共に、それに対して容易にアクセスすることが可能な情報処理装置、情報処理装置の制御方法、及びプログラムが得られる。
【図面の簡単な説明】
【００２１】
【図１】本発明の実施形態における情報処理装置を含む情報処理システム全体の構成を示す図である。
【図２】本発明の実施形態における情報処理装置の全体構成について説明する概略ブロック図である。
【図３】本発明の実施形態におけるＷｅｂサーバの全体構成について説明する概略ブロック図である。
【図４】本発明の実施形態における情報処理装置の機能ブロック図である。
【図５】本発明の実施形態における情報処理装置の動作のうち初期画面を説明する図である。
【図６】本発明の実施形態における情報処理装置の動作のうち時間順表示について説明する図である。
【図７】本発明の実施形態における情報処理装置において、ユーザの興味情報を取得する動作について説明する機能ブロック図である。
【図８】本発明の実施形態における情報処理装置において、アクセスしたウェブサイトがログイン認証を要するウェブサイトであること及びログイン認証を要するウェブサイトに対するログイン状態が継続していることを検出する動作について説明するフロー図である。
【図９】本発明の実施形態における情報処理装置において、ログイン認証を要するウェブサイトに対してログイン状態が継続している場合のインデックスの表示方法、ユーザ情報の登録を要するウェブサイトに対してユーザ情報の登録が継続している場合のインデックスの表示方法、及び分類されたカテゴリ名のインデックスの表示方法について説明するフロー図である。
【図１０】本発明の実施形態における情報処理装置において、ユーザ情報の登録を要するウェブサイトにアクセスするためのユーザ情報の登録を行う画面の表示例である。
【発明を実施するための形態】
【００２２】
次に、本発明を実施するための形態について図面を参照して詳細に説明する。なお、各図中、同一又は相当する部分には同一の符号を付しており、その重複説明は適宜に簡略化乃至省略する。本発明の内容を簡潔に説明すると、ログイン認証を要するウェブサイト、及びログイン認証を要しないウェブサイトに対してそれぞれアクセスする手段と、ログイン認証を要しないウェブサイトを、当該ウェブサイトが属するカテゴリ毎に分類する手段と、ログイン認証を経てアクセスされたログイン認証を要するウェブサイト名と、カテゴリ毎に分類されたカテゴリ名と、を表示する手段と、ログイン認証を要するウェブサイト名を、ウェブサイトに対するログイン状態が継続している間、常時表示する手段と、常時表示されているウェブサイト名を選択すると、ログイン状態が継続しているウェブサイトから取得された情報を一覧表示する手段と、を含むことにより、ユーザが当該ウェブサイトの存在を容易に把握することができると共に、それに対して容易にアクセスすることができるのである。
【００２３】
まず、本発明の実施形態における情報処理装置を含む情報処理システム全体の構成について説明する。図１は、本発明の実施形態における情報処理装置を含む情報処理システム全体の構成を示す図である。図１を参照すると、本発明の実施形態における情報処理装置を含む情報処理システム１０は、例えば、パーソナルコンピュータ（以下、ＰＣともいう。）を一例とする情報処理装置２００が、インターネット等の広く公衆によって接続可能なネットワーク３００を介してＷｅｂサーバ４００に接続されている。また、ＰＣ２００は、放送局１００から送信される放送波や、Ｗｅｂサーバ４００から送出されるコンテンツを受信することができるようになっている。なお、情報処理装置２００には、ＰＣ以外に図示しないスマートフォン等の携帯情報端末も含まれることは勿論である。
【００２４】
また、Ｗｅｂサーバ４００は、ＰＣ２００、及び図示しないスマートフォン等と、インターネット等のネットワーク３００を介して接続されている。そして、ＰＣ２００、及び図示しないスマートフォン等から発せられた任意のＷｅｂページに接続したい旨のアクセス要求に対して、ＵＲＬで特定されたＷｅｂサーバ４００から提供されるＷｅｂページの閲覧が可能となる。なお、図１中には、インターネット等のネットワーク３００に対してＰＣ２００のみ接続されているが、情報処理装置は１台に限定されず、複数台接続されていることはいうまでも無い。
【００２５】
次に、本発明の実施形態における情報処理装置の全体構成について説明する。図２は、本発明の実施形態における情報処理装置の全体構成について説明する概略ブロック図である。ＰＣ２００は、ＴＶチューナ部２０１と、ネットワーク接続部２０５と、ＣＰＵ（Central Processing Unit）２０６と、ＲＯＭ（Read Only Memory）２０２と、ＲＡＭ（Random Access Memory）２０３と、ＨＤＤ（Hard Disk Drive）２０４と、表示部２０７と、入力部２０８と、電源部２０９とから構成される。
【００２６】
ＴＶチューナ部２０１は、放送局１００（図１）から送信される地上デジタル、ＢＳ（Broadcasting Satellite）、及びＣＳ（Communications Satellite）放送をアンテナから受信し復調するものである。ネットワーク接続部２０５は、インターネットに代表されるネットワーク３００に接続され、ネットワーク３００とのインタフェースを図るものである。ＣＰＵ２０６は、ＰＣ２００全体の動作を制御するものであり、ＲＯＭ２０２に格納された制御プログラムをロードし、ＰＣ２００の動作によって得られた様々なデータをＲＡＭ２０３に展開するものである。ＨＤＤ２０４は、ＰＣ２００のアプリケーションソフトウェアプログラムを格納したり、ＴＶチューナ部２０１によって受信されたテレビ番組や、Ｗｅｂサーバ４００から送出されるコンテンツ（以下、これ等をまとめてコンテンツともいう。）を録画したりするものである。
【００２７】
表示部２０７は、ＬＣＤ（Liquid Crystal Display）等で構成される表示画面であり、ＰＣ２００によって実行されたアプリケーションソフトウェアプログラムの結果やＴＶチューナ部２０１によって受信されたテレビ番組、及びＷｅｂサーバ４００から受信したコンテンツを表示するものである。入力部２０８は、キーボード、マウス、タッチパネル等、ユーザがＰＣ２００に対して指示を与えるものである。そして、電源部２０９は、ＰＣ２００に対してＡＣ（Alternative Current：交流）、又はＤＣ（Direct Current：直流）電源を与えるものである。
【００２８】
次に、本発明の実施形態におけるＷｅｂサーバの全体構成について説明する。図３は、本発明の実施形態におけるＷｅｂサーバの全体構成について説明する概略ブロック図である。Ｗｅｂサーバ４００は、ネットワーク接続部４０３と、ＣＰＵ４０４と、ＲＯＭ４０１と、データベース部４０２と、表示部４０５と、操作部４０６と、電源部４０７とから構成される。
【００２９】
ネットワーク接続部４０３は、インターネットに代表されるネットワーク３００（図１）に接続され、ネットワーク３００とのインタフェースを図るものである。ＣＰＵ４０４は、Ｗｅｂサーバ４００全体の動作を制御するものであり、ＲＯＭ４０１に格納された制御プログラムをロードし、ＣＰＵ４０４の動作によって得られた様々なデータをデータベース部４０２に展開したり、ユーザの嗜好に合致するコンテンツを送出したりするものである。表示部４０５は、ＬＣＤ等で構成される表示画面であり、Ｗｅｂサーバ４００によってデータベース部４０２に格納されたデータの格納状況等を表示するものである。操作部４０６は、キーボード、マウス、タッチパネル等、Ｗｅｂサーバ４００の保守者が、Ｗｅｂサーバ４００に対して指示を与えるものである。そして、電源部４０７は、Ｗｅｂサーバ４００に対してＡＣ又はＤＣ電源を与えるものである。
【００３０】
次に、本発明の実施形態における情報処理装置の機能ブロックについて説明する。図４は、本発明の実施形態における情報処理装置の機能ブロック図である。
【００３１】
図４において、ＰＣ２００は、放送局１００（図１）から送信される放送波を受信する複数のチューナ部２１０、２１１、２１２、及び２１３と、チューナ部２１０、２１１、２１２、及び２１３により復調されたテレビ番組や、Ｗｅｂサーバ４００から送出されるコンテンツを記録し再生するコンテンツ記録再生部２１４と、放送局１００から送信される電波の隙間を使って送信される電子番組ガイド（ＥＰＧ：Electronic Program Guide）を管理するＥＰＧ情報管理部２１７と、液晶（ＬＣＤ）等のディスプレイ２２１にテレビ番組やコンテンツを表示する動画表示処理部２１５と、を含んで構成されている。なお、チューナ部の数は、４個に限定されないことは勿論である。
【００３２】
また、ディスプレイ２２１には、ライブ放送されているテレビ番組の画面、録画されたテレビ番組の再生画面、録画されたテレビ番組の一覧表、Ｗｅｂサーバ４００から受信するコンテンツが表示されることは勿論であるが、後述するＥＰＧ情報管理部２１７により取得された、過去に放送された番組、現在放送されている番組、又は今後放送される予定の番組の番組表も表示される。また、テレビ番組とｆａｃｅｂｏｏｋ画面とを並べて表示したり、ｆａｃｅｂｏｏｋ画面をテレビ画面のバックグラウンドで表示したりすることも可能である。
【００３３】
さらに、ＰＣ２００は、インターネット等の公衆に利用可能なネットワーク３００（図１）を介してＷｅｂサーバ４００に接続するためのネットワーク接続処理部２２０と、チューナ部２１０、２１１、２１２、及び２１３により受信されたテレビ番組や、Ｗｅｂサーバ４００から取得されたコンテンツに対するユーザの視聴履歴を取得し記録する動画情報取得記録部２１９と、ＥＰＧ情報管理部２１７から送信される電子番組表、及び興味情報取得部２１８を介して設定されたコンテンツのジャンル毎の興味レベルと、受信されたユーザの視聴履歴に基づいてお勧め度を解析する映像解析処理部２１６と、映像解析処理部２１６で解析されたお勧め度をディスプレイ２２１に表示する動画表示処理部２１５と、ＰＣ２００の動作を遠隔操作するリモコン２２２と、を含んで構成されている。
【００３４】
次に、図５を用いて本発明の実施形態における情報処理装置の動作のうち初期画面について説明する。図５は、本発明の実施形態における情報処理装置の動作のうち初期画面を説明する図である。図５を参照すると、本発明の実施形態におけるＰＣ２００は、起動すると、表示部２０７に、インストールされている複数のアプリケーションソフトウェア５０１のメニュー画面が表示される。この複数あるアプリケーションソフトウェア５０１として、本発明の実施形態に係るアプリケーションソフトウェアである「Ｍｙ  Ｉｎｔｅｒｅｓｔ」２２５がインストールされている。
【００３５】
ユーザが、この「Ｍｙ  Ｉｎｔｅｒｅｓｔ」２２５というアプリケーションソフトウェアのメニュー画面をマウス等の入力部２０８を用いて選択すると、表示部２０７には、「Ｍｙ  Ｉｎｔｅｒｅｓｔ」２２５というアプリケーションソフトウェアの初期画面が表示される。そして、ユーザにより、表示部２０７に表示された「Ｍｙ  Ｉｎｔｅｒｅｓｔ」２２５のアイコンが、マウス等の入力部２０８を用いて選択されると、以下に説明する「Ｍｙ  Ｉｎｔｅｒｅｓｔ」２２５のアプリケーションソフトウェアが起動する。
【００３６】
次に、本発明の実施形態における情報処理装置の動作のうち時間順表示について説明する。図６は、本発明の実施形態における情報処理装置の動作のうち時間順表示について説明する図である。
【００３７】
図６において、表示部２０７の左上には、本アプリケーションソフトウェアの「Ｍｙ  Ｉｎｔｅｒｅｓｔ」２２５のアイコンが表示され、上部中央には、表示部２０７にサムネイル表示されるコンテンツ情報６１４から６２１が、ユーザにより「Ｍｙ  Ｉｎｔｅｒｅｓｔ」２２５のアプリケーションソフトウェアの起動が開始された５分前（６５０）に配信され取得されたコンテンツ情報であることを示す“５分前”という時間表示６５０と、コンテンツ情報６１４から６２１が、報じられた時間毎に分類された時間順で表示されていることを示す“時間順で表示”６５１という表示がなされている。
【００３８】
表示部の左側には、短冊状のインデックス一覧６００が縦列に表示されている。なお、図６では、表示部２０７の左側のインデックス一覧６００のうち、カテゴリ名インデックス６１３は、政治インデックス６０６からテレビ・ラジオインデックス６１０に向かうに連れて、それぞれのカテゴリ名に対するユーザの興味レベルの設定値が高い値から低い値となる順序、すなわち降順に各インデックスが並んで表示されているが、カテゴリ名インデックス６１３に表示されているインデックスの表示順序は、任意の順序となるよう設定しても良いし、興味がなく閲覧する予定もないカテゴリ名インデックス６１３は表示部２０７に表示しないように設定しても良い。また、興味レベルの設定値の高低に応じて、各インデックスの色彩や模様を替える等、視認性を変化させる方法で表示させても良い。
【００３９】
図６を参照すると、表示部２０７には、ユーザにより「Ｍｙ  Ｉｎｔｅｒｅｓｔ」２２５のアプリケーションソフトウェアの起動が開始された５分前（６５０）に配信され取得されたコンテンツ情報であるＡ、Ｂ、Ｃ、Ｄ、Ｅ、Ｆ、Ｇ、及びＨのそれぞれの内容の一場面を示す画像がサムネイル表示される。同様に、画面を左方向にスクロールしない限り表示部２０７に表示されないため図示していないが、「Ｍｙ  Ｉｎｔｅｒｅｓｔ」２２５のアプリケーションソフトウェアの起動が開始された３０分前に配信され取得されたコンテンツ情報であるＩ、Ｊ、Ｋ、Ｌ、Ｍ、Ｎ、Ｏ、及びＰの各コンテンツ情報のそれぞれの内容の一場面を示す画像が、サムネイル表示される。このように、図６では、各コンテンツ情報が時間順で表示６５１されているのである。
【００４０】
そして、５分前（６５０）に配信され取得されたコンテンツ情報が表示部２０７に一覧表示される順番は、後述する方法で取得された各分野に対するユーザの興味レベルの大小に基づいて一覧表示される。５分前（６５０）に配信されたコンテンツ情報６１４から６２１は、Ａ、Ｂ、Ｃ、Ｄ、Ｅ、Ｆ、Ｇ、及びＨの８個であるが、そのうち、興味レベルが最も高いカテゴリ名である政治インデックス６０６に関連するコンテンツ情報Ａ（首脳会談）６１４が一番最初にサムネイル表示される。次に、興味レベルの設定値が二番目に高いカテゴリ名である野球インデックス６０８に関連するコンテンツ情報Ｂ（大リーグ）６１５がサムネイル表示される。
【００４１】
次に、興味レベルの設定値が三番目に高いカテゴリ名であるテレビ・ラジオインデックス６１０に関連するコンテンツ情報Ｃ（新番組）６１６がサムネイル表示される。次に、興味レベルの設定値が四番目に高いウェブサイト名であるｆａｃｅｂｏｏｋインデックス６０１に関連するコンテンツ情報Ｄ（ｆａｃｅｂｏｏｋ）６１７がサムネイル表示される。次に、興味レベルの設定値が五番目に高いウェブサイト名である広告インデックス６０５に関連するコンテンツ情報Ｅ（得の市）６１８がサムネイル表示される。次に、興味レベルの設定値が六番目に高いカテゴリ名である図示しないＩＴ（Information Technology）・コンピュータインデックスに関連するコンテンツ情報Ｆ（ＰＣ春モデル）６１９がサムネイル表示される。次に、興味レベルの設定値が七番目に高いカテゴリ名である図示しない天気インデックスに関連するコンテンツ情報Ｇ（週間天気）６２０がサムネイル表示される。最後に、興味レベルの設定値が最も低いカテゴリ名である図示しない映画インデックスに関連するコンテンツＨ（新作映画）６２１がサムネイル表示される。以下同様にして、３０分前に配信され取得されたコンテンツ情報についても、興味レベルに応じたカテゴリ名、又はウェブサイト名に関連するコンテンツ情報Ｉ、Ｊ、Ｋ、Ｌ、Ｍ、Ｎ、Ｏ、及びＰがそれぞれサムネイル表示される。
【００４２】
このように、図６に示した時間順で表示６５１の中の５分前（６５０）に配信され取得されたコンテンツ情報Ａ、Ｂ、Ｃ、Ｄ、Ｅ、Ｆ、Ｇ、及びＨ、並びに画面を左方向にスクロールしない限り表示部２０７に表示されないため図示していないが、３０分前に配信され取得されたコンテンツ情報Ｉ、Ｊ、Ｋ、Ｌ、Ｍ、Ｎ、Ｏ、及びＰは、それぞれ当該ユーザの興味レベルの高いカテゴリ名に属するコンテンツ情報から順番に、すなわち降順に表示されることとなる。なお、図６では、時間順で表示６５１の場合についてのみ説明しているが、報じられたコンテンツ情報の各々が属するカテゴリ毎に分類されたカテゴリ順で表示させることもできる。どのような順番でコンテンツ情報を表示するかについては本発明のポイントではないので、詳細な説明は省略する。
【００４３】
また、短冊状のインデックス一覧６００において、ログイン認証インデックス６１１に属するｆａｃｅｂｏｏｋインデックス６０１、及びｔｗｉｔｔｅｒ（登録商標）インデックス６０２は、ユーザが、これ等のＳＮＳサイトに対してログイン状態が継続している限り、表示部２０７に常時表示することとしている。そして、特に、ｆａｃｅｂｏｏｋインデックス６０１は、当該ｆａｃｅｂｏｏｋが独自に有している特有の色彩等の視認性を用いてインデックス一覧６００に表示することとしている。さらに、ログイン認証インデックス６１１に属するｆａｃｅｂｏｏｋインデックス６０１、及びｔｗｉｔｔｅｒインデックス６０２は、インデックス一覧６００において、表示部２０７の画面左側の最上段の位置に表示することとしている。
【００４４】
そして、常時表示されているｆａｃｅｂｏｏｋインデックス６０１、ｔｗｉｔｔｅｒインデックス６０２、及び、後述する常時表示されているユーザ情報登録インデックス６１２（マイ検索インデックス６０３、期間限定インデックス６０４、広告インデックス６０５）、並びに、上記したカテゴリ名インデックス６１３のうち、何れかのインデックスに対してマウス等の入力部２０８を用いて選択操作を行う。そうすると、表示部２０７の右側にサムネイル表示されるコンテンツ情報ＡからＨには、ログイン状態が継続しているウェブサイト、ユーザ情報の登録が継続しているウェブサイト、又は、カテゴリ名に属するウェブサイトから取得された情報が一覧表示される。
【００４５】
そして、この一覧表示される表示態様は、当該ウェブサイトから取得された情報の各々が報じられた時間毎に分類された時間順に、ユーザの興味レベルの降順に一覧表示する時間順表示と、ウェブサイトから取得された情報の各々が属するカテゴリ毎に分類されたカテゴリ順に、ユーザの興味レベルの降順に一覧表示するカテゴリ順表示とがある。
【００４６】
なお、ｆａｃｅｂｏｏｋのウェブサイトで、「Ｍｙ  Ｉｎｔｅｒｅｓｔ」２２５との連携を解除することによりユーザ登録が解除され、ｆａｃｅｂｏｏｋインデックス６０１は表示部２０７から消滅する。また、「Ｍｙ  Ｉｎｔｅｒｅｓｔ」２２５のアプリケーションソフトウェア内にｆａｃｅｂｏｏｋのログアウトボタン（ｆａｃｅｂｏｏｋのログアウトＡＰＩ（Application Programming Interface）を呼ぶコマンド）を設け、これを起動させることでｆａｃｅｂｏｏｋをログアウトし、ｆａｃｅｂｏｏｋインデックス６０１を表示部２０７から消滅させることも可能である。なお、ログイン認証インデックス６１１の表示態様、及び表示位置についてはさらに後述する。
【００４７】
また、短冊状のインデックス一覧６００には、マイ検索インデックス６０３、期間限定インデックス６０４、及び広告インデックス６０５等のユーザ情報登録インデックス６１２も存在する。マイ検索インデックス６０３は、ユーザが指定するキーワードを登録しておき、マイ検索インデックス６０３を選択するだけで簡単に気になるキーワード検索を行うことができるコンテンツを起動させるインデックスである。期間限定インデックス６０４は、メジャーなイベント（例えば、所定期間だけ開催されるサッカーのワールドカップや、高校野球の甲子園全国大会、箱根駅伝等）が開催された際に、コンテンツプロバイダと連携して所定の期間開設される期間限定のコンテンツを起動させるインデックスである。広告インデックス６０５は、ユーザが登録したエリアに関するチラシコンテンツを起動させ、広告検索を行うインデックスである。これ等のユーザ情報登録インデックス６１２は、各インデックスに属するウェブサイトを起動するために、何らかのユーザ情報を登録する必要がある。
【００４８】
なお、図６には、ユーザ情報登録インデックス６１２に属するウェブサイトの具体例として、マイ検索インデックス６０３、期間限定インデックス６０４、及び広告インデックス６０５のみを挙げているが、ここで挙げたウェブサイト以外にも、起動するためには何らかのユーザ情報の登録を必要とするコンテンツ情報は様々なものが存在することは勿論である。
【００４９】
そして、ユーザ情報登録インデックス６１２に属するウェブサイトであるマイ検索インデックス６０３、期間限定インデックス６０４、広告インデックス６０５の各インデックスも、ユーザが、当該ウェブサイトに対してユーザ情報の登録が継続している限り、表示部２０７に常時表示することとしている。また、このユーザ情報登録インデックス６１２に属するマイ検索インデックス６０３、期間限定インデックス６０４、及び広告インデックス６０５についても、表示部２０７の画面左側の最上段の位置に表示することとしている。
【００５０】
なお、マイ検索インデックス６０３、期間限定インデックス６０４、広告インデックス６０５についても、ユーザが、これ等のウェブサイトに対してユーザ情報の登録が継続している限り、表示部２０７に常時表示することとしているが、これ等のウェブサイトに対するユーザ情報の登録が解除されると、マイ検索インデックス６０３、期間限定インデックス６０４、広告インデックス６０５は、表示部２０７から消滅する。マイ検索インデックス６０３、期間限定インデックス６０４、及び広告インデックス６０５の表示位置についてはさらに後述する。
【００５１】
また、図６においては、ユーザの興味レベルが最も高い政治インデックス６０６に関連するコンテンツＡ（首脳会談）６１４が一番最初にサムネイル表示され、以降、ユーザの興味レベルの降順に、野球インデックス６０８、テレビ・ラジオインデックス６１０、ｆａｃｅｂｏｏｋインデックス６０１、広告インデックス６０５、ＩＴ・コンピュータインデックス、天気インデックス、及び映画インデックスの順番で、それぞれのインデックスに関連するコンテンツＢからコンテンツＨが表示部２０７にサムネイル表示されているが、カテゴリ名インデックス６１３に表示されるインデックスの表示順序は、ユーザの興味度レベルの高低によって変動するものである。そして、カテゴリ名インデックス６１３の表示順序と、サムネイル画像Ａ（６１４）からサムネイル画像Ｈ（６２１）までの表示順序、及び各カテゴリにおけるサムネイル画像の個数とは、連動しておらず、互いに独立して表示されるものである。
【００５２】
次に本発明の実施形態における情報処理装置において、ユーザの興味情報を取得する動作について説明する。図７は、本発明の実施形態における情報処理装置において、ユーザの興味情報を取得する動作について説明する機能ブロック図である。
【００５３】
図７を参照すると、情報ソーステーブル部７０１は、ＲＳＳ（Resource description framework Site Summary）フィードのリストをローカルに保持している。そして、情報取得部７０２は、ネットワーク接続部２０５（図２）を介して指定されたＵＲＬからＲＳＳフィードを取得する。取得されたＲＳＳフィードは、ＲＡＭ２０３等の取得情報記憶部７０３によって記憶される。
【００５４】
一方、ＲＡＭ２０３には、コンテンツ情報の各カテゴリに対する興味パラメータ（以下、興味レベルともいう。）が興味テーブル７０５として格納される。この興味テーブル７０５は、ユーザの行動監視によりコンテンツ情報の中の各カテゴリの中からユーザの興味を推定する興味推定部７０８と、ユーザが興味設定を編集する興味テーブル表示・編集部７０４とによって作成される。そして、取得情報記憶部７０３と、興味テーブル７０５とに基づいて、取得されたＲＳＳフィードの中から興味テーブル７０５に合わせて情報選別部７０６においてフィード情報が選別される。なお、ユーザの興味をどのようにして推定するか、また、興味テーブル７０５をどのように表示・編集するかについては、図示しない興味設定画面によって規律される。
【００５５】
そして、情報選別部７０６によって選別されたＲＳＳフィード、及びＴＶチューナ部２０１（図２）、又はネットワーク接続部２０５を介して取得されたＲＳＳフィードに掲載されていない情報の詳細、例えば、ＲＳＳが途中で切れている情報や画像ファイル等が、全情報取得部７０７によって取得された後、ＲＡＭ２０３等の全情報記憶部７０９に記憶され、上述した図６に示した時間順で表示６５１として、表示部２０７に表示されるのである。
【００５６】
なお、一覧表示される情報としては、ニュースコンテンツ情報、ＳＮＳコンテンツ情報、及びＴＶ番組コンテンツ情報等が含まれるが、ここに例示した情報に限定されることなく、ＰＣ２００によって取得される様々な情報が含まれることは勿論である。例えば、ＹｏｕＴｕｂｅ（登録商標）を一例とするＶＯＤ（Voice On Demand）やＷｅｂニュースといった、何らかのコンテンツがジャンル分けされており、それらに対するユーザの興味レベルを取得することができるものであれば、一覧表示される情報の候補となり得る。
【００５７】
次に、本発明の実施形態における情報処理装置において、アクセスしたウェブサイトがログイン認証を要するウェブサイトであること及びログイン認証を要するウェブサイトに対するログイン状態が継続していることを検出する動作について説明する。図８は、本発明の実施形態における情報処理装置において、アクセスしたウェブサイトがログイン認証を要するウェブサイトであること及びログイン認証を要するウェブサイトに対するログイン状態が継続していることを検出する動作について説明するフロー図である。
【００５８】
図８において、まず最初に、ステップ（以下、Ｓという。）８０１の処理において、ユーザがネットワーク３００（図１）を介してあるウェブサイト（Ｗｅｂサーバ４００）にアクセスしたか否かが判断される。あるウェブサイトにアクセスしていないとき（Ｓ８０１：Ｎ）は、処理を終了する。あるウェブサイトにアクセスしたとき（Ｓ８０１：Ｙ）は、Ｓ８０２の処理へ移行する。
【００５９】
Ｓ８０２の処理では、当該アクセスしたウェブサイトが、ログイン認証を要するウェブサイトであるか否かが判断される。ログイン認証を要しないウェブサイトである（Ｓ８０２：Ｎ）と判断されたときは、処理を終了する。ログイン認証を要するウェブサイトである（Ｓ８０２：Ｙ）と判断されたときは、Ｓ８０３の処理へ移行する。Ｓ８０３の処理では、ＣＰＵ２０６（図２）は、当該ウェブサイトが、アクセスに際しログイン認証を要するウェブサイトであることを検出する。
【００６０】
Ｓ８０４の処理では、当該ウェブサイトにアクセスするためのログイン情報が入力されたか否かが判断される。ログイン情報が入力されない（Ｓ８０４：Ｎ）と判断されると、処理を終了する。ログイン情報が入力された（Ｓ８０４：Ｙ）と判断されると、Ｓ８０５の処理へ移行する。
【００６１】
Ｓ８０５の処理では、ログインが実行されたか否かが判断される。ログインが実行されない（Ｓ８０５：Ｎ）と判断されると、処理を終了する。ログインが実行された（Ｓ８０５：Ｙ）と判断されると、Ｓ８０６の処理へ移行する。
【００６２】
Ｓ８０６の処理では、Ｓ８０４の処理で入力されたログイン情報が正しいか否かが判断される。ログイン情報が正しくない（Ｓ８０６：Ｎ）と判断されると、処理を終了する。ログイン情報が正しい（Ｓ８０６：Ｙ）と判断されると、Ｓ８０７の処理へ移行する。Ｓ８０７の処理では、当該ウェブサイトにアクセスし、ユーザは当該ウェブサイトのユーザ自身のマイページにアクセスすることができる。Ｓ８０８の処理では、ＣＰＵ２０６（図２）は、当該ウェブサイトに対してログイン状態が継続していることを検出する。
【００６３】
次に、本発明の実施形態における情報処理装置において、ログイン認証を要するウェブサイトに対してログイン状態が継続している場合のインデックスの表示方法、ユーザ情報の登録を要するウェブサイトに対してユーザ情報の登録が継続している場合のインデックスの表示方法、及び分類されたカテゴリ名のインデックスの表示方法について説明する。図９は、本発明の実施形態における情報処理装置において、ログイン認証を要するウェブサイトに対してログイン状態が継続している場合のインデックスの表示方法、ユーザ情報の登録を要するウェブサイトに対してユーザ情報の登録が継続している場合のインデックスの表示方法、及び分類されたカテゴリ名のインデックスの表示方法について説明するフロー図である。
【００６４】
図９において、まず最初に、Ｓ９０１の処理では、図７において説明したように、ユーザの興味レベルを取得する。これは、図６で説明したように、時間順又はカテゴリ順にコンテンツ情報を表示部２０７にサムネイル表示するためである。
【００６５】
次に、Ｓ９０２の処理では、図８のＳ８０８の処理において検出されたログイン状態が継続中のウェブサイトがあるか否かが判断される。このログイン状態が継続中のウェブサイトの具体例としては、図６に示した表示部２０７の左側に縦に並んで表示されている短冊状のインデックス一覧６００の中の、ｆａｃｅｂｏｏｋインデックス６０１に属するｆａｃｅｂｏｏｋサイトや、ｔｗｉｔｔｅｒインデックス６０２に属するｔｗｉｔｔｅｒサイトが挙げられる。
【００６６】
Ｓ９０２の処理において、ログイン状態が継続中のウェブサイトがある（Ｓ９０２：Ｙ）と判断されると、Ｓ９０３の処理へ移行する。ログイン状態が継続中のウェブサイトがない（Ｓ９０２：Ｎ）と判断されると、Ｓ９０９の処理へ移行する。例えば、ログイン状態が継続しているウェブサイトがｆａｃｅｂｏｏｋの場合、ｆａｃｅｂｏｏｋのＡＰＩを用いることによってログイン中であるか否かを判断することができる。すなわち、ｆａｃｅｂｏｏｋアプリケーションがユーザ情報にアクセスするためのトークンであるアクセストークンを取得している限り、ｆａｃｅｂｏｏｋアプリケーションに対してログイン状態にあることが継続している。
【００６７】
Ｓ９０３の処理では、ログイン状態が継続中のウェブサイト名がｆａｃｅｂｏｏｋであるか否かが判断される。ログイン状態が継続中のウェブサイト名がｆａｃｅｂｏｏｋである（Ｓ９０３：Ｙ）と判断されると、Ｓ９０４の処理へ移行する。ログイン状態が継続中のウェブサイト名がｆａｃｅｂｏｏｋでない（Ｓ９０３：Ｎ）と判断されると、Ｓ９０６の処理へ移行する。
【００６８】
Ｓ９０４の処理では、ログイン状態が継続中のウェブサイト名（例えば、ｆａｃｅｂｏｏｋ）のｆａｃｅｂｏｏｋインデックス６０１を表示部２０７の画面の最上部に表示する。例えば、図６に示した、表示部２０７の左側に縦に並んで表示されている短冊状のインデックス一覧６００の中のｆａｃｅｂｏｏｋインデックス６０１のように表示する。これにより、ユーザは、表示部２０７のインデックス一覧６００を上下方向にスクロールすることなく、自分が当該ウェブサイト（例えば、ｆａｃｅｂｏｏｋ）にログイン中であることを一目で認識することができる。そして、Ｓ９０５の処理では、ログイン状態が継続中のウェブサイト名である図６のｆａｃｅｂｏｏｋインデックス６０１を特定の彩色で表示する。
【００６９】
この特定の彩色とは、表示部２０７の左側に縦に並んで表示されている短冊状のインデックス一覧６００の各インデックスの色とは異なる、特有の固定化された一色である。例えばｆａｃｅｂｏｏｋのように、アイコンの色として青色が一般的に用いられている場合には、特有の固定化された一色として、青色で表示することを想定している。
【００７０】
Ｓ９１０の処理では、ユーザ登録されているウェブサイトがあるか否かが判断される。ここで、ユーザ情報の登録を要するウェブサイトの具体例として、広告インデックス６０５に属する広告ウェブサイトの画面表示例を図１０に示す。図１０は、本発明の実施形態における情報処理装置において、ユーザ情報の登録を要するウェブサイトにアクセスするためのユーザ情報の登録を行う画面の表示例である。
【００７１】
広告ウェブサイトのトップページでは、当該広告ウェブサイトのマイエリアを登録するためのエリア欄９０１に対する入力が要求される。エリア欄９０１に、ユーザの居住地区が入力され、登録アイコン９０２がマウス等の入力部２０８を用いて選択されることにより、ユーザ情報の登録が完了する。図９に戻り、ユーザ登録されているウェブサイトがある（Ｓ９１０：Ｙ）と判断されると、Ｓ９１１の処理へ移行し、ユーザ登録されているウェブサイトがない（Ｓ９１０：Ｎ）と判断されると、Ｓ９１２の処理へ移行する。
【００７２】
Ｓ９１１の処理では、当該ユーザ登録されているウェブサイト名のインデックス（例えば、マイ検索インデックス６０３、期間限定インデックス６０４、広告インデックス６０５）を表示部２０７の画面の最上部に表示する。これにより、ユーザは、表示部２０７のインデックス一覧６００のインデックスを上下方向にスクロールすることなく、現在ユーザ登録されているウェブサイトを一目で把握することができる。
【００７３】
Ｓ９１２の処理では、ログイン認証インデックス６１１、ユーザ情報登録インデックス６１２以外のカテゴリ名インデックス６１３を、ユーザの興味レベルに応じて降順に表示する。
【００７４】
なお、上述した図６では、表示部２０７の左側に縦に並んで表示される短冊状のインデックス一覧６００の中のカテゴリ名インデックス６１３は、ユーザの興味レベルが高いカテゴリ名から低いカテゴリ名の順序で表示することとしているが、図９のＳ９０４、Ｓ９１１の処理を実行することにより、ログイン認証インデックス６１１、ユーザ情報登録インデックス６１２が、左側の最上位の位置に表示されるようになる。なお、ログイン認証インデックス６１１と、ユーザ情報登録インデックス６１２との何れを最上位の位置に表示させるかは、特に規定しない。ログイン認証インデックス６１１を最上位の位置、ユーザ情報登録インデックス６１２をログイン認証インデックス６１１の直ぐ下の位置に常時表示させるようにしても良い。
【００７５】
このように、ログイン認証インデックス６１１、ユーザ情報登録インデックス６１２の各インデックスを最上位の位置に常時表示することにより、ユーザは、短冊状のインデックス一覧６００のインデックスを上下方向にスクロールすることなく、ログイン認証インデックス６１１、ユーザ情報登録インデックス６１２の存在を容易に把握することができると共に、それらに対して容易にアクセスすることが可能となる。
【００７６】
図１０に戻り、Ｓ９０６の処理では、Ｓ９０４の処理で画面最上部に表示されたｆａｃｅｂｏｏｋのウェブサイト名、Ｓ９１１の処理で画面最上部に表示されたユーザ登録されているウェブサイト名、又はＳ９１２の処理でユーザの興味レベルに応じて降順に表示されたカテゴリ名のうち、何れかのウェブサイト名、又はカテゴリ名が選択されたか否かが判断される。ウェブサイト名又はカテゴリ名の何れも選択されないと判断されたとき（Ｓ９０６：Ｎ）は、処理を終了する。
【００７７】
ウェブサイト名又はカテゴリ名の何れかが選択されたと判断されたとき（Ｓ９０６：Ｙ）は、Ｓ９０７の処理へ移行する。Ｓ９０７の処理では、コンテンツ情報の表示が、時間順表示であるか否かが判断される。時間順表示であると判断されると（Ｓ９０７：Ｙ）、Ｓ９０９の処理へ移行し、図６で説明したように興味レベルが高いコンテンツ情報のサムネイル画像を表示部２０７に時間順に表示し、処理を終了する。一方、時間順表示でないと判断されると（Ｓ９０７：Ｎ）、Ｓ９０８の処理へ移行し、興味レベルが高いコンテンツ情報のサムネイル画像をカテゴリ順に表示し、処理を終了する。
【００７８】
なお、図６では、短冊状のインデックス一覧６００の各インデックスを、表示部２０７の左側において上側から下側に向けて表示しているが、各インデックスを表示部２０７のどの位置にどのような形態で表示するかは任意の形態を採り得る。要するに、ログイン認証インデックス６１１に属する各インデックスがログイン状態を継続している間、ユーザ情報登録インデックス６１２に属する各インデックスがユーザ情報の登録を継続している間、表示部２０７に常時表示されるような状態になっていれば良いのである。
【００７９】
なお、図８、及び図１０に示した本発明の実施形態における情報処理装置（ＰＣ）２００を構成する各機能ブロックの各動作は、コンピュータ上のプログラムに実行させることもできる。すなわち、情報処理装置２００のＣＰＵ２０６が、ＲＯＭ２０２、ＲＡＭ２０３等から構成される記憶部に格納されたプログラムをロードし、プログラムの各処理ステップが順次実行されることによって行われる。
【００８０】
以上説明してきたように、本発明によれば、ログイン認証を要するウェブサイト、及びログイン認証を要しないウェブサイトに対してそれぞれアクセスする手段と、ログイン認証を要しないウェブサイトを、当該ウェブサイトが属するカテゴリ毎に分類する手段と、ログイン認証を経てアクセスされたログイン認証を要するウェブサイト名と、カテゴリ毎に分類されたカテゴリ名と、を表示する手段と、ログイン認証を要するウェブサイト名を、ウェブサイトに対するログイン状態が継続している間、常時表示する手段と、常時表示されているウェブサイト名を選択すると、ログイン状態が継続しているウェブサイトから取得された情報を一覧表示する手段と、を含むことにより、ユーザが当該ウェブサイトの存在を容易に把握することができると共に、それに対して容易にアクセスすることが可能な情報処理装置、情報処理装置の制御方法、及びプログラムを得ることができるのである。
【００８１】
以上、本発明の好適な実施の形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【００８２】
１０    情報処理システム
１００    放送局
２００    情報処理装置
２０１    ＴＶチューナ部
２０２、４０１    ＲＯＭ
２０３    ＲＡＭ
２０４    ＨＤＤ
２０５、４０３    ネットワーク接続部
２０６、４０４    ＣＰＵ
２０７、４０５    表示部
２０８    入力部
２０９、４０７    電源部
２１０、２１１、２１２、２１３    チューナ部
２１４    コンテンツ記録再生部
２１５    動画表示処理部
２１６    映像解析処理部
２１７    ＥＰＧ情報管理部
２１９    動画情報取得記録部
２２０    ネットワーク接続処理部
２２１    ディスプレイ
２２２    リモコン
２２５    Ｍｙ  Ｉｎｔｅｒｅｓｔ
３００    Ｗｅｂ（インターネット）ネットワーク
４００    Ｗｅｂサーバ
４０２    データベース部
４０６    操作部
５０１    アプリケーションソフトウェア
６００    インデックス一覧
６０１    ｆａｃｅｂｏｏｋインデックス
６０２    ｔｗｉｔｔｅｒインデックス
６０３    マイ検索インデックス
６０４    期間限定インデックス
６０５    広告インデックス
６０６    政治インデックス
６０７    国内インデックス
６０８    野球インデックス
６０９    トレンドインデックス
６１０    テレビ・ラジオインデックス
６１１    ログイン認証インデックス
６１２    ユーザ情報登録インデックス
６１３    カテゴリ名インデックス
６１４、６１５、６１６、６１７、６１８、６１９、６２０、６２１    コンテンツ情報
６５０    時間表示
６５１    時間順で表示
７０１    情報ソーステーブル部
７０２    情報取得部
７０３    取得情報記憶部
７０４    興味テーブル表示・編集部
７０５    興味テーブル
７０６    情報選別部
７０７    全情報取得部
７０８    興味推定部
７０９    全情報記憶部
９０１    エリア欄
９０２    登録アイコン
【図１】
2015210773.tif 000003
【図２】
2015210773.tif 000004
【図３】
2015210773.tif 000005
【図４】
2015210773.tif 000006
【図５】
2015210773.tif 000007
【図６】
2015210773.tif 000008
【図７】
2015210773.tif 000009
【図８】
2015210773.tif 000010
【図９】
2015210773.tif 000011
【図１０】
2015210773.tif 000012